(57)【特許請求の範囲】
【請求項１】
物体側から順に、正の第１群と正の第２群と負の第３群とからなり、前記第２群が物体側より前群と後群とよりなり、広角端から望遠端に変倍する際各群を物体側へ移動するレンズ系で、下記条件（１）、（２）、（３）、（４）、（７）を満足する小型高変倍ズームレンズを備えたカメラ。
（１）  ０．５５≦ＬＴ／ｆＴ≦０．７５
（２）  ２．６≦ｆ１／｜ｆ３｜≦４．５
（３）  ０．３５≦｜ｆ３｜／ｆ２≦０．６３
（４）  ０．７３≦ｆ２Ｒ／ｈ≦１．０６
（７）  ５．６≦ｆＴ×（ｆ１＋ｆ２−ｈ）／（ｆ１×ｆ２）≦１２．５
ただし、ＬＴは望遠端における最も物体側の面から像面までの近軸距離、ｆＴは望遠端における全系の焦点距離、ｆ１、ｆ２、ｆ３は夫々第１群、第２群、第３群の焦点距離、ｆ２Ｒは第２群の後群の焦点距離、ｈは最大像高である。
【請求項２】
特許請求の範囲の請求項１に記載するレンズ系で、下記条件（５）を満足することを特徴とする小型高変倍ズームレンズを備えたカメラ。
（５）  ０．４５≦｜Ｒ３ｆ｜／ｈ≦７．０
【請求項３】
特許請求の範囲の請求項１または２に記載するレンズ系で、下記条件（６）を満足することを特徴とする小型高変倍ズームレンズを備えたカメラ。
（６）  ０．２９≦（Ｒ２ｒ×Ｒ３ｆ）／ｈ2≦３．５
ただし、Ｒ２ｒは第２群の最も像側の面の曲率半径、Ｒ３ｆは第３群の最も物体側の面の曲率半径、ｈは最大像高である。
【請求項４】
特許請求の範囲の請求項１、２または３に記載するレンズ系で、前記第２群中に開口絞りを有し、前記第２群が前記絞りより物体側の前群と像側の正の後群とよりなることを特徴とする小型高変倍ズームレンズを備えたカメラ。
【請求項５】
特許請求の範囲の請求項１、２、３または４に記載するレンズ系で、下記条件（８）を満足することを特徴とする小型高変倍ズームレンズを備えたカメラ。
（８）  ０．８≦ｆ１／ｆ２≦２．７
【請求項６】
特許請求の範囲の請求項１、２、３、４または５に記載するレンズ系で、前記第１群が物体側より順に、正レンズと負レンズとを有することを特徴とする小型高変倍ズームレンズを備えたカメラ。
【請求項７】
特許請求の範囲の請求項１、２、３、４または５に記載するレンズ系で、前記第１群が物体側より順に、負レンズと正レンズとを有することを特徴とする小型高変倍ズームレンズを備えたカメラ。
【請求項８】
特許請求の範囲の請求項１、２、３、４または５に記載するレンズ系で、下記条件（９）を満足することを特徴とする小型高変倍ズームレンズを備えたカメラ。
（９）  ０．０５≦｜Ｇ３Σｄ／ｆ３｜≦０．６９
ただしＧ３Σｄは第３群の厚さ（最も物体側面から最も像側の面までの距離）である。
【請求項９】
特許請求の範囲の請求項１、２、３、４または５に記載するレンズ系で、下記条件（８−１）を満足することを特徴とする小型高変倍ズームレンズを備えたカメラ。
（８−１）  １．５≦ｆ１／ｆ２≦２．７
【請求項１０】
特許請求の範囲の請求項１、２、３、４または５に記載するレンズ系で、下記条件（８−２）を満足することを特徴とする小型高変倍ズームレンズを備えたカメラ。
（８−２）  １．０≦ｆ１／ｆ２≦１．９
【請求項１１】
特許請求の範囲の請求項１、２、３、４または５に記載するレンズ系で、下記条件（１０）を満足することを特徴とする小型高変倍ズームレンズを備えたカメラ。
（１０）  ０．４８≦｜ｆ３｜／ｈ≦０．８９
【請求項１２】
特許請求の範囲の請求項１、２、３、４または５に記載するレンズ系で、下記条件（１１）を満足することを特徴とする小型高変倍ズームレンズを備えたカメラ。
（１１）  ７．０≦ｆＴ／｜ｆ３｜≦２５．０
【請求項１３】
特許請求の範囲の請求項１、２、３、４または５に記載するレンズ系で、変倍時第１群と第３群とが一体に移動することを特徴とする小型高変倍ズームレンズを備えたカメラ。
【請求項１４】
特許請求の範囲の請求項１、２、３、４または５に記載するレンズ系で、下記条件（１２）を満足することを特徴とする小型高変倍ズームレンズを備えたカメラ。
（１２）  ０．１３≦Ｌ／ｈ≦１．２
ただし、Ｌは開口絞りの中心から第２群の最も物体側の面頂までの距離あるいは開口絞りの中心から第２群の最も像側の面頂までの距離のうちの長い方の距離である。
【請求項１５】
特許請求の範囲の請求項１に記載するレンズ系で、条件（１）、条件（２）、条件（３）、条件（４）のいずれか一つの条件または複数の条件に代えて下記条件（１−１）、（２−１）、（３−１）、（４−１）を満足することを特徴とする小型高変倍ズームレンズを備えたカメラ。
（１−１）  ０．５５≦ＬＴ／ｆＴ≦０．７１
（２−１）  ２．６≦ｆ１／｜ｆ３｜≦３．６
（３−１）  ０．４≦｜ｆ３｜／ｆ２≦０．６１
（４−１）  ０．７５≦ｆ２Ｒ／ｈ≦１．０６
【請求項１６】
特許請求の範囲の請求項１に記載するレンズ系で、条件（２）、条件（３）のいずれか一つの条件または両条件に代えて下記条件（２−１）、条件（３−１）を満足することを特徴とする小型高変倍ズームレンズを備えたカメラ。
（２−１）  ２．６≦ｆ１／｜ｆ３｜≦３．６
（３−１）  ０．４≦｜ｆ３｜／ｆ２≦０．６１
【請求項１７】
特許請求の範囲の請求項１、２、３、４または５に記載するレンズ系で、下記条件（１３）を満足することを特徴とする小型高変倍ズームレンズを備えたカメラ。
（１３）  １．０≦ｆ２Ｒ／ｄ２ＦＲ≦２０
ただし、ｆ２Ｒは第２群の後群の焦点距離、ｄ２ＦＲは前群と後群の空気間隔である。
【請求項１８】
請求項１７に記載するレンズ系で、条件（１３）の代わりに下記条件（１３−１）を満足することを特徴とするズームレンズ。
（１３−１）  １．５≦ｆ２Ｒ／ｄ２ＦＲ≦１０
ただし、ｆ２Ｒは第２群の後群の焦点距離、ｄ２ＦＲは前群と後群の空気間隔である。
【発明の詳細な説明】
【０００１】
【発明の属する技術分野】
本発明は小型高変倍ズームレンズを備えたカメラに関するものである。
【０００２】
【従来の技術】
カメラに設けるズームレンズで、本発明のズームレンズのように３群構成を有するズームレンズの従来例として、特開２０００−５６２２４号公報に記載されている第１〜第３実施例のズームレンズ、特開２０００−１５５２６２号公報に記載されている第１、第２実施例のズームレンズ、特開平１１−１４２７４１号公報に記載されている第２の実施例のズームレンズ、特開平１０−６２６８９号公報に記載されている第１実施例のズームレンズ、特開平１１−１１９１０３号公報に記載されている第１実施例のズームレンズ、特開平１０−２６８１９１号公報に記載されている第１実施例のズームレンズ、特開平８−１０１３４１号公報に記載されている第１実施例のズームレンズ等が知られている。
【０００３】
これら従来例は変倍比が３．５よりも小であって、十分高い変倍比ではない。
【０００４】
又、変倍比が４．５を超えるズームレンズの従来例として、特開２０００−２７５５２４号公報に記載されている第１〜第６実施例のズームレンズ、特開２０００−１５５２６２号公報に記載されている第１、第２実施例のズームレンズ、特開平１１−２４９０１７号公報に記載されている第１〜第５実施例のズームレンズ、特開平１１−５２２３２号公報に記載されている第１〜第３実施例のズームレンズ、特開平９−９０２２５号公報に記載されている第１〜第４実施例のズームレンズ、特開平１０−３０１０２９号公報に記載されている第１〜第３実施例のズームレンズ、特開平６−２６５７８７号公報に記載されている第４実施例のズームレンズ等が知られている。
【０００５】
これら従来のズームレンズは、変倍比は大であるが、望遠端での望遠比が０．７９以上で大であり、カメラへ収納した時に大になる。
【０００６】
また、特開平９−１７９０２８号公報に記載されている第１〜第５実施例や特開平７−２０３８０号公報に記載されている第１〜第３実施例のズームレンズは、望遠比が大であり、更にレンズ枚数が１０枚以上で多く、カメラが大型になる。
【０００７】
更に特開２０００−２２７５５０号公報に記載されている第４〜第７実施例はレンズ系の物体側面から像側面までの長さが２５ｍｍ近くあり、カメラへ収納した時カメラを小型にできない。又同公報に記載された第８、第９実施例のズームレンズは、前記の長さが２４．５ｍｍ以下で小であるが各焦点距離での球面収差の発生が大であり、安定した性能を維持できない。
【０００８】
【発明が解決しようとする課題】
前記従来例は、いずれも変倍比が小であるかあるいは変倍比が大であるものはカメラに収納した時にカメラが大型になる等の欠点を有している。
【０００９】
本発明は、正の第１群と正の第２群と負の第３群を有する小型で高変倍であるズームレンズを備えたカメラを提供するものであり、特に、変倍比が３．５以上で全長が短く、レンズ枚数が９枚以下で広角端から望遠端まで良好な性能を有する小型で高変倍であるズームレンズを備えたカメラを提供するものである。
【００１０】
【課題を解決するための手段】
本発明のカメラは、次の通りの構成の小型高変倍ズームレンズを備えたことを特徴とする。
【００１１】
即ち、本発明のカメラに用いる小型高変倍ズームレンズの第１の構成は、物体側から順に、正の第１群と正の第２群と負の第３群よりなり、第２群が前群と後群とよりなるレンズ系であって、広角端から望遠端への変倍の際各群が物体側へ移動するもので、次の条件（１）、（２）、（３）、（４）を満足するものである。
（１）  ０．５５≦ＬＴ／ｆＴ≦０．７５
（２）  ２．６≦ｆ１／｜ｆ３｜≦４．５
（３）  ０．３５≦｜ｆ３｜／ｆ２≦０．６３
（４）  ０．７３≦ｆ２Ｒ／ｈ≦１．５０
ただし、ＬＴは望遠端における最も物体側の面から像面までの近軸距離、ｆＴは望遠端における全系の焦点距離、ｆ１、ｆ２、ｆ３は夫々第１群、第２群、第３群の焦点距離、ｆ２Ｒは第２群の後群の焦点距離、ｈは最大像高である。
【００１２】
本発明のカメラは、高変倍比であって小型にするために、前述のような構成を基本構成とする小型高変倍ズームレンズを備えるようにした。そのためにズームレンズの基本構成として、テレフォトタイプを採用し、望遠側でのレンズ系の全長が短くなるようにした。つまり本発明のズームレンズは前記のように、物体側より順に、正の第１群と正の第２群と負の第３群とよりなり、広角端より望遠端への変倍の際、すべての群が物体側へ移動するようにしたことを基本構成にした。又負の第３群に高い変倍作用を持たせるようにして、テレフォトタイプで高い変倍比を有するようにした。
【００１３】
又、変倍時に発生する非点収差の変動を、変倍時の各群の移動の際に第１群と第２群の間隔が変化するようにして少なく抑えるようにし、収差が良好に補正されるようにした。
【００１４】
また、本発明のカメラにて用いるズームレンズは、前記の条件（１）（２）、（３）、（４）を満足することも特徴としている。
【００１５】
カメラの大きさ、つまりカメラの厚さ、幅、高さに対しレンズ系が与える影響として望遠状態において鏡枠が最も繰り出された時の全長がある。枠によりレンズを保持している以上、カメラにレンズ系を収納するには、レンズの径が同じであるとするとレンズが最も繰り出された状態における全長が長いほど枠の体積は大になり、カメラの大きさへの影響度が大になる。
【００１６】
本発明は、カメラの大きさへの影響度を考慮して、望遠端におけるレンズ系の全長ＬＴと全系の焦点距離ｆＴとを定めた。
【００１７】
前記基本構成の本発明のズームレンズは、フォーカシングによる全長の変化を考慮しない場合、レンズ系が最も繰り出された状態が全系の焦点距離が長い状態である。
【００１８】
このように、カメラで使用する変倍域において、本発明のレンズ系の全長（レンズ系の最も物体側の面から結像面までの距離）が最も長くなるのは、前記の望遠端における全長ＬＴであり、その時の焦点距離がｆＴである。
【００１９】
このＬＴとｆＴの比（ＬＴ／ｆＴ）を規定したのが条件（１）である。
【００２０】
この条件（１）はカメラの小型化と同時にズームレンズの収差を良好に補正するための条件である。
【００２１】
条件（１）の上限値の０．７５を超えると、変倍比が３．５を超えるカメラで十分小型なカメラにすることが困難になる。又条件（１）の下限値の０．５５を超えると第３群の負のパワーが強くなりすぎて、９枚以下の少ないレンズ枚数にて収差が良好に補正されたレンズ系にすることが困難になる。
【００２２】
条件（２）は、レンズ系の小型化と収差とのバランスをとるために設けた。
【００２３】
この条件（２）の上限値の４．５を超えると、望遠端での全長が長くなり、レンズ系の小型化が困難になる。
【００２４】
条件（２）において下限値の２．６を超えると、望遠端での全長を短くすることはできるが、第１群で発生する収差量が大になり良好に補正することが困難になる。
【００２５】
条件（３）は、高変倍比と小型化を達成するために設けたものである。
【００２６】
条件（３）の｜ｆ３｜／ｆ２の値が上限値の０．６３を超えると、第２群内で発生する球面収差とコマ収差が大になると共に望遠比を小さくしつつ３．５倍を超える高変倍比のズームレンズを得ることが困難になる。
【００２７】
｜ｆ３｜／ｆ２の値が小になると球面収差やコマ収差の発生量を小さくでき、しかも望遠比が小であって高変倍比のズームレンズを得ることができるが、条件（３）の下限値の０．３５を超えると、第３群で非点収差や歪曲収差等の変動が大になり、第３群を３枚以下の少ないレンズ枚数にして良好な性能のレンズ系にすることが困難になる。また、第３群のレンズ枚数を増加させるとレンズ系の小型化が困難になる。
【００２８】
条件（４）は、ズーム全域にわたって収差が良好に補正され、またカメラの小型化を達成するためのものである。そのため、本発明のズームレンズの第１の構成は、前記基本構成のレンズ系で、第２群を前記のように前群と後群とに分け、例えば第２群の最も像側の単レンズまたは接合レンズを後群としこの後群より空気間隔を設けて物体側を前群とし、そのうちの後群の屈折力をこの条件（４）を満足するようにした。
【００２９】
条件（４）において、上限値の５．０を超えると高変倍比を保ちながら望遠端での全長を短くすることが困難になり、カメラを小型化できない。
【００３０】
又条件（４）において下限値の０．７３を超えると高変倍化することは可能であるが、第２群にて発生する収差が大になり変倍全域で収差を良好に保つことが困難になる。又良好な光学性能を維持するためには第２群のレンズ枚数を増やさなければならず、各群全体の厚さが大になりカメラ収納時の小型化が困難になる。
【００３１】
以上述べたように、本発明のカメラにおいて用いられるズームレンズは、前記のような基本構成のレンズ系であって、条件（１）、（２）、（３）、（４）を満足するようにして、後に示す実施の形態のズームレンズのように変倍比が３．５を超える高変倍でありながらカメラの小型化を可能にし、更にレンズ枚数が９枚以下と少ないレンズ構成でありながら広角端から望遠端までの全域において良好な光学性能を保ち得るものである。
【００３２】
この第１の構成において、条件（１）、（２）、（３）、（４）の代わりに下記条件（１−１）、（２−１）、（３−１）、（４−１）を満足することがより望ましい。
（１−１）  ０．５５≦ＬＴ／ｆＴ≦０．７１
（２−１）  ２．６≦ｆ１／｜ｆ３｜≦３．６
（３−１）  ０．４≦｜ｆ３｜／ｆ２≦０．６１
（４−１）  ０．７５≦ｆ２Ｒ／ｈ≦１．３
【００３３】
尚、条件（１）乃至条件（４）のうちのいずれか一つの条件または複数の条件を前記条件（１−１）乃至条件（４−１）に代えても夫々効果を増大させ得る。
【００３４】
次に本発明のカメラにて用いられるズームレンズの他の構成（第２の構成）を述べる。
【００３５】
この第２の構成のズームレンズは、前述の構成（第１の構成）のズームレンズの基本構成のレンズ構成で、下記条件（１）、（５）、（６）を満足することを特徴とする。
（１）  ０．５５≦ＬＴ／ｆＴ≦０．７５
（５）  ０．４５≦｜Ｒ３ｆ｜／ｈ≦７．０
（６）  ０．２９≦（Ｒ２ｒ×Ｒ３ｆ）／ｈ2≦３．５
ただし、Ｒ２ｒは第２群の最も像側の面の曲率半径、Ｒ３ｆは第３群の最も物体側の面の曲率半径、ｈは最大像高である。
【００３６】
本発明のズームレンズの第２の構成は、前述の第１の構成にて述べたと同じ理由により前記基本構成を採用したもので、物体側より順に、正の第１群と正の第２群と負の第３群とよりなり、広角端より望遠端への変倍の際に各群を物体側へ移動させるようにしたものである。このように、レンズ系をテレフォトタイプの構成とすることにより望遠端でのレンズ系の全長を短くし、しかも高変倍のズームレンズになし得るようにし、これにより高変倍で小型なカメラを達成することを可能にしたものである。またこの第２の構成において、第３群の最も物体側の面は、凹面にすることが望ましい。
【００３７】
また、条件（１）は前述のようにカメラの小型化と光学性能を良好になし得るように設けたものである。したがって、条件（１）の上、下限より外れた場合、前述の通り小型で良好な光学性能を有するズームレンズを達成し得なくなる。
【００３８】
条件（５）は、小型で良好な性能を得るためのもので、｜Ｒ３ｆ｜／ｈの値を大にして第３群の変倍作用を強くして高変倍で小型のレンズ系にしようとした時、条件（５）の上限値の７．０を超えると第３群での収差補正能力が不足しレンズ系の光学性能を良好になし得なくなる。また下限値の０．４５を超えて｜Ｒ３ｆ｜／ｈの値を小にして第３群に高い変倍作用を持たせて高変倍比で小型なレンズ系を得ようとすると、第３群で発生する収差量が大になり良好な性能が得られなくなる。また第３群の最も物体側の面で発生する球面収差、コマ収差を補正するには各群の負担が大になり、そのため各群合わせた厚さが大になってカメラ収納時のカメラの厚さを薄くすることが困難になる。
【００３９】
条件（６）は、望遠端でのレンズ系の全長を短く保ち、変倍全域において良好な光学性能を得るための条件である。
【００４０】
条件（６）において、上限値の３．５を超えると第３群の変倍効果が少なくなり、望遠端でのレンズ系の全長を短くできなくなる。又下限値の０．２９を超えると第２群、第３群での収差の発生が大になり変倍による収差変動が大になる。
【００４１】
以上のように、本発明の第２の構成のズームレンズは、前記の本発明の基本構成のレンズ構成であるテレフォトタイプで、更に条件（１）、（５）、（６）を満足することにより、変倍比が３．５を超える高変倍でありながらカメラの小型化を可能にし、更にレンズ枚数が９枚以下と少ないレンズ構成でありながら広角端から望遠端までの全域において良好な光学性能を得ることが可能である。
【００４２】
前記第２の構成において、条件（１）の代わりに前記条件（１−１）を、条件（５）および条件（６）の代わりに下記条件（５−１）および条件（６−１）を満足するようにすればより好ましい。
（５−１）  ０．５２≦｜Ｒ３ｆ｜／ｈ≦５．０
（６−１）  ０．３≦（Ｒ２ｒ×Ｒ３ｆ）／ｈ2≦２．５
尚、条件（１）、（５）、（６）のうちのいずれか一つまたは二つの条件を条件（１−１）、（５−１）、（６−１）に代えてもその効果をより発揮させ得る。
【００４３】
本発明のカメラに用いられるズームレンズの第３の構成は、本発明の基本構成のレンズ構成である物体側より順に、正の第１群と正の第２群と負の第３群とよりなり、広角端から望遠端への変倍の際に各群を物体側へ移動するものであって、更に第２群が明るさ絞りを有し、この絞りの物体側の前群と絞りの像側の正の後群とよりなり、下記条件（２）、（３）、（４）を満足することを特徴とするものである。
（２）  ２．６≦ｆ１／｜ｆ３｜≦４．５
（３）  ０．３５≦｜ｆ３｜／ｆ２≦０．６３
（４）  ０．７３≦ｆ２Ｒ／ｈ≦１．５０
ただし、ｆ２Ｒは第２群の後群の焦点距離である。
【００４４】
この第３の構成も前記本発明の基本構成のレンズ系であり、したがって、望遠端でのレンズ系の全長を短くすることが可能であって、又高変倍のレンズ系を得ることが可能になる。したがって高変倍で小型のカメラを実現し得る。
【００４５】
更に第３の構成は、第２群に絞りを配置し、その物体側の前群とその像側の正の後群とにて構成したもので、これにより前群と後群とにて収差のバランスをとり、それにより小型で高変倍にしつつ変倍全域で良好な光学性能を有する光学系を得やすくしている。又、前群に負の屈折力を持たせるようにすれば、前群と後群とで収差のバランスを一層とりやすくなる。
【００４６】
又条件（２）は、前述のようにレンズ系の小型化と収差とのバランスをとるためのもので、前記条件（２）の上限より外れると望遠端での全長が長くなり、下限より外れると第１群で発生する収差が大になる。
【００４７】
条件（３）も、前述のように高変倍化と小型化を達成するためのもので、上限より外れると第２群で発生する球面収差とコマ収差が大になり又望遠比が小で高変倍のズームレンズにすることが困難になる。
【００４８】
条件（４）も前述の通りで、ズーム全域にわたって収差を良好にし、小型化するためのもので、上限を超えると高変倍を保ちつつ変倍全域での収差を良好に補正し、しかも全長を短くしてカメラの小型化を達成することが困難になり、又下限を超えると第２群で発生する収差が大になり変倍全域で収差を良好にすることができない。又収差補正のため第２群のレンズ枚数を多くするとレンズ系の全長が長くなり、カメラ収納時の小型化が困難になる。
【００４９】
以上のように、この第３の構成のズームレンズは、本発明の基本構成のレンズ構成で更に第２群中に絞りを配置すると共に条件（２）、（３）、（４）を満足することにより、変倍比３．５以上の高変倍でありながら、カメラの小型化を図り更にレンズ枚数が９枚以下の少ないレンズ構成で、広角端から望遠端の全域で良好な光学性能を得ることができる。
【００５０】
この第３の構成において、条件（２）、（３）、（４）の代わりに前記条件（２−１）、（３−１）、（４−１）を満足すればより望ましい。この場合も、条件（２）、（３）、（４）のうちのいずれか一つまたは二つの条件を条件（２−１）、（３−１）、（４−１）に代えてもその効果を増大させることができる。
【００５１】
本発明のカメラで用いるズームレンズの第４の構成は、前記基本構成である物体側から順に正の第１群と正の第２群と負の第３群とよりなり、広角端から望遠端への変倍の際に各群を物体側へ移動するレンズ系で、第２群が明るさ絞りを有し、その物体側の前群と像側の正の後群とにて構成され、下記条件（２）、（３）、（５）を満足することを特徴とする。
（２）  ２．６≦ｆ１／｜ｆ３｜≦４．５
（３）  ０．３５≦｜ｆ３｜／ｆ２≦０．６３
（５）  ０．４５≦｜Ｒ３ｆ｜／ｈ≦７．０
【００５２】
この第４の構成のズームレンズも、前記のように本発明の基本構成のレンズ系で、これにより全長を短く抑えて高変倍になし得る。
【００５３】
また、条件（２）を満足することにより小型で収差のバランスのとれたレンズ系になし得る。条件（２）の上限より外れると望遠端での全長が長くなり、又下限より外れると第１群にて発生する収差が大になる。
【００５４】
条件（３）は高変倍であって小型化を達成するためのもので、上限を超えると第２群での球面収差とコマ収差の発生が大になり、又望遠比を小にしつつ３．５以上の高変倍比を得ることが困難になり、下限を超えると第３群での非点収差、歪曲収差の発生が大になり、この第３群を３枚以下の少ない枚数で収差を良好に補正することが困難になる。又、第３群のレンズ枚数を増やすとレンズ系を小型化することが困難になる。
【００５５】
条件（５）は小型、高変倍で光学性能の良好なズームレンズを得るためのもので、前述のように上限を超えると第３群の変倍作用を強くした時、第３群での収差補正能力が不足し小型で良好な光学性能を得ることが困難になる。また、下限を超えると第３群の物体側の面での球面収差、コマ収差の発生が大になりその補正が困難になる。
【００５６】
前記第４の構成において、条件（２）、（３）、（５）のすべての条件またはいずれか一つまたは二つの条件を前記の条件（２−１）、（３−１）、（５−１）に代えることにより、それら条件により達成し得る効果を増大させることが可能である。
【００５７】
本発明のカメラで用いるズームレンズの第５の構成は、本発明のレンズ系の基本構成であるレンズ構成で、物体側より順に正の第１群と正の第２群と負の第３群とよりなり、広角端より望遠端への変倍の際に各群を物体側へ移動させるもので、第１群と第３群とを一体に移動させ、又下記条件（２）、（３）を満足することを特徴とする。
（２）  ２．６≦ｆ１／｜ｆ３｜≦４．５
（３）  ０．３５≦｜ｆ３｜／ｆ２≦０．６３
【００５８】
この第５の構成は本発明の基本構成を示すもので、テレフォトタイプにしたことにより望遠端での全長を短くし高変倍にすることを可能にしたもので、高変倍で小型のカメラを実現することが可能になる。
【００５９】
また、この第５の構成では、変倍時第１群と第３群を一体に移動させるようにしたため、第１群と第３群との偏芯による性能の劣化を極力小さく抑え得るので、広角端から望遠端まで良好で安定した性能を維持できる。
【００６０】
又条件（２）を満足するようにして、レンズ系の小型化と収差とのバランスをとるようにした。条件（２）の上限を超えると望遠端での全長が長くなり、小型化が困難になり、下限を超えると第１群での収差が大になる。
【００６１】
条件（３）を満足することにより、高変倍で小型になし得る。この条件の上限を超えると第２群での球面収差とコマ収差の発生が大であり、又望遠比を小さくしつつ３．５倍以上の高変倍にすることが困難になる。また下限を超えると第３群にて非点収差と歪曲収差が大きく発生し、第３群を３枚以下の少ないレンズにて構成すると上記収差の補正が困難である。また、第３群のレンズ枚数を増やすとレンズ系の小型化が実現し得ない。
【００６２】
以上のように、この第５の構成は、本発明の基本構成のレンズ系で変倍の際に第１群と第３群とを一体に移動させると共に、条件（２）、（３）を満足するようにして３．５を超える変倍比で全長の短いレンズ系とし、カメラの小型化を実現し得ると共に、９枚以下の少ないレンズ枚数で広角端から望遠端まで良好な性能を得ることが可能になる。
【００６３】
前記第５の構成において、条件（２）の代わりに条件（２−１）を満足するようにするか、または条件（３）の代わりに条件（３−１）を満足するようにするか、あるいは条件（２）、（３）の代わりに条件（２−１）、（３−１）の両者を満足するようにすれば望ましい。
【００６４】
前記本発明の各構成（第１乃至第５の構成）のズームレンズにおいて、下記条件（７）を満足することが望ましい。
（７）  ５．６≦ｆＴ×（ｆ１＋ｆ２−ｈ）／（ｆ１×ｆ２）≦１２．５
ただし、ｆ１、ｆ２は夫々第１群、第２群の焦点距離である。
【００６５】
この条件（７）を満足することによって、一層良好な光学性能で小型、高変倍のレンズ系を達成し得る。
【００６６】
条件（７）に示すｆＴ×（ｆ１＋ｆ２−ｈ）／（ｆ１×ｆ２）の値が大になると高変倍比と小型化とが可能になるが、上限を超えて１２．５より大になると球面収差やコマ収差の発生が大きくなり好ましくない。また下限の５．６を超えると小型化と高変倍比とが両立しなくなる。
【００６７】
また、本発明の第３、第４、第５の構成のズームレンズにおいて、更に条件（１）を満足すれば望ましい。つまり前述のように、条件（１）を満足することによって、カメラを小型化しつつ収差を良好に補正し得る。
【００６８】
また、本発明の第１、第３、第５の構成のズームレンズにおいて、条件（５）を満足すれば前述の通り、一層小型で高変倍比を有していて良好な性能のレンズ系になし得る。
【００６９】
また、本発明の第２の構成のズームレンズにおいて、前記条件（２）を満足すれば、小型化と収差のバランスのとれたレンズ系になし得るので望ましい。
【００７０】
また、本発明の第２の構成のズームレンズにおいて、条件（３）を満足すれば、一層高変倍で小型化を達成するので好ましい。
【００７１】
また、本発明の第２、第５の構成のズームレンズにおいて条件（４）を満足すれば、変倍全域にわたって収差を良好に補正し得るので望ましい。
【００７２】
また、本発明の第１、第４、第５の構成において、条件（６）を満足するようにすれば望遠端におけるレンズ系全長を短くでき、また変倍域すべてにおいて良好な光学性能を得ることができるため望ましい。
【００７３】
また、本発明の第１、第２、第５の構成において、第２群を絞りを挟んで物体側の前群と像側の正の後群とにて構成することが望ましい。つまり絞りの物体側と像側とで収差のバランスをとることができ、これにより小型で高変倍比でしかも変倍全域で良好な光学性能になし得る。
【００７４】
また、本発明の第１乃至第５の構成のズームレンズにおいて、下記条件（８）を満足することが望ましい。
（８）  ０．８≦ｆ１／ｆ２≦２．７
この条件（８）は、一層小型で良好な性能を得やすくするために設けられた。
【００７５】
条件（８）において、上限値の２．７を超えると望遠端での全長を短くすることが困難になる。また下限値の０．８を超えると第１群での収差発生量が大になり、これを小さく抑えるためには、第１群のレンズ枚数を増やさなければならず、小型化にとって好ましくない。
【００７６】
また、本発明の第１乃至第５の構成のズームレンズにおいて、第１群が物体側から順に、正レンズと負レンズを有することが望ましい。第１群を上記のように構成すれば、レンズ系をテレフォトタイプを更に強めた構成にすることができ全長を短くすることが一層容易になる。また、この第１群を物体側から順に、正レンズと負レンズの２枚にて構成すれば、第１群の厚さを薄くすることができ、ズームレンズをカメラに収納した時のカメラの厚さを薄くすることが可能になる。
【００７７】
また、本発明の第１乃至第５の構成のズームレンズにおいて、第１群を物体側から順に負レンズと正レンズを有する構成にすれば、カメラの縦横サイズを小さくできるので望ましい。
【００７８】
第１群を前記のように物体側から順に、負レンズと正レンズを有する構成にした場合、この第１群を物体側から順に正レンズと負レンズを有する構成にする場合のようにテレフォトタイプを強めることはできないが、カメラの縦横サイズを少なくする上では好ましい。
【００７９】
この場合も、物体側から順に負レンズと正レンズの２枚のレンズにて構成すれば、第１群を薄くでき、ズームレンズをカメラに収納した時のカメラの厚さを薄くできる。
【００８０】
また、本発明の第１乃至第５の構成において、下記条件（９）を満足することが望ましい。
（９）  ０．０５≦｜Ｇ３Σｄ／ｆ３｜≦０．６９
ただしＧ３Σｄは第３群の厚さ（最も物体側面から最も像側の面までの距離）である。
【００８１】
この条件（９）は高変倍で小型化の実現を一層容易にするためのものである。この条件（９）の上限値の０．６９を超えると第３群の厚さが大になると共に第３群の外径も大になり、カメラの小型化が困難になる。また下限値の０．０５を超えるとレンズ系を高変倍にすることが困難になり、またレンズが薄くなって加工が困難になる。
【００８２】
また、本発明の第１乃至第５の構成において、第１群を物体側より順に正レンズと負レンズとを有する構成にし、下記条件（８−１）を満足するようにすることが望ましい。
（８−１）  １．５≦ｆ１／ｆ２≦２．７
【００８３】
第１群を物体側より順に正レンズと負レンズを有する構成にすれば、前述のようにテレフォトタイプを強めることになる。その上で更に条件（８−１）を満足するように望遠端での全長を短くし、しかも良好な光学性能になし得るため好ましい。
【００８４】
条件（８−１）の上限値の２．７を超えると全長を短くすることが困難になり、下限値の１．５を超えると収差発生量が大になりこれを抑えることが困難になる。
【００８５】
また第１群を物体側より順に、正レンズと負レンズの２枚のレンズにて構成すれば、第１群の厚さを薄くできレンズ系をカメラに収納した時のカメラの厚さを薄くできる。
【００８６】
また、本発明の第１乃至第５の構成において、下記条件（８−２）を満足すれば、バックフォーカスの確保が容易になり、その結果、第３群の外径を小にできる。またカメラの縦横サイズを小さくできる。
（８−２）  １．０≦ｆ１／ｆ２≦１．９
条件（８−２）を満足すれば、望遠端での全長を短縮することが可能であり性能を良好にし得る。
【００８７】
条件（８−２）の上限値の１．９を超えると望遠端での全長の短縮が困難になり、また下限値の１．０を超えると第１群で収差発生量が大になり、これを小さく抑えるためには第１群のレンズ枚数を増加させなければならない。またこのレンズ系で、第１群を物体側より順に正レンズと負レンズの２枚のレンズにて構成すれば第１群を薄くすることができ、レンズ系をカメラに収納した時のカメラの厚さを薄くできる。
【００８８】
また本発明の第１乃至第５の構成において、下記条件（１０）を満足すれば高変倍で小型であって、しかも良好な性能のズームレンズを構成することが一層容易になる。
（１０）  ０．４８≦｜ｆ３｜／ｈ≦０．８９
【００８９】
条件（１０）の上限値の０．８９を超えると、高変倍比が得にくくなり、また望遠端における全長を短くできず、カメラを小型化し得ない。下限値の０．４８を超えると、第３群での収差の発生が大になり、少ないレンズ枚数では光学性能を良好になし得ない。
【００９０】
また、本発明の第１乃至第５の構成のレンズ系において、下記条件（１１）を満足することが望ましい。
（１１）  ７．０≦ｆＴ／｜ｆ３｜≦２５．０
この条件（１１）を満足すれば、高変倍で良好な性能のズームレンズを得ることが一層容易になる。
【００９１】
条件（１１）の上限値の２５．０を超えると第３群で発生する収差が大になり、良好な性能のレンズ系が得にくくなる。また下限値の７．０を超えると、高変倍比が得にくくなる。
【００９２】
また、本発明の第１乃至第４の構成のレンズ系で、変倍時第１群と第３群を一体に移動させるようにすれば、第１群と第３群の偏芯により生ずる性能の劣化を防止できるような枠構造にすることが可能になり、それによって広角端から望遠端に安定した光学性能になし得る。
【００９３】
また、本発明の第１乃至第５の構成において、第２群中に開口絞りを設け、下記条件（１２）を満足することが好ましい。
（１２）  ０．１３≦Ｌ／ｈ≦１．２
ただし、Ｌは開口絞りの中心から第２群の最も物体側の面頂までの距離あるいは開口絞りの中心から第２群の最も像側の面頂までの距離のうちの長い方の距離である。
【００９４】
第２群中に開口絞りを設けることによって、この絞りの前後での収差のバランスをとることができるが、スペースを適当に確保しないと、絞りを駆動させる部材によりカメラのサイズが制限され、無駄なスペースができ、そのため効率的に小型化達成することが困難になる。条件（１２）を満足すれば、前記の問題を解決し得る。
【００９５】
条件（１２）の上限値の１．２を超えると第２群内に無駄なスペースが増え、カメラを効率的に小型化し得なくなる。下限値の０．１３を超えると第２群内に配置した開口絞りの駆動部材が第１群あるいは第３群方向にはみ出してカメラを小型にすることが困難になる。
【００９６】
本発明の第１、第３、第４の構成において、下記条件（１３）を満足することが望ましい。
（１３）  １．０≦ｆ２Ｒ／ｄ２ＦＲ≦２０
【００９７】
また、本発明の第２、第５の構成において、第２群を物体側の前群と空気間隔をへだてて像側に配置された正の後群とにて構成し、上記条件（１３）を満足するようにすることが好ましい。
【００９８】
尚条件（１３）においてｄ２ＦＲは前群と後群の空気間隔である。
【００９９】
上記条件（１３）の下限値１．０を超えると第２群内の主に球面収差、コマ収差を良好に保ちながら第２群の全長を短くすることが困難になり、カメラの小型化と性能を良好に保つことを両立させる上で好ましくない。また上限値の２０を超えると、第２群の全長を短くして高い変倍比を得ることが困難になり、カメラの小型化と高変倍とを両立させる上で好ましくない。
【０１００】
また、条件（１３）の代わりに下記条件（１３−１）を満足すればより好ましい。
（１３−１）  １．５≦ｆ２Ｒ／ｄ２ＦＲ≦１０
【０１０１】
また、第２群の前群は、負の屈折力を持つことが望ましい。この前群が負の屈折力を持つようにすれば、第２群の主点位置をより像面側に近づけることができ、広角端におけるバックフォーカスの確保が容易になり、望遠端での長焦点化が容易になる。
【０１０２】
本発明のズームレンズにて用いる絞りは、プランジャー等の機械的な駆動手段にて駆動するものでも、液晶等の電気的な駆動手段にて駆動するものでもいずれでもよい。
【０１０３】
また、本発明のカメラに用いるズームレンズは、３群ズームレンズとすると小型化の面で好ましいが、第３群よりも像側にレンズ群を含んで構成してもよい。
【０１０４】
【発明の実施の形態】
次に本発明の実施の形態について図１乃至図１６に示し、下記データを有する実施例１乃至実施例１６をもとに説明する。
【０１０５】
0004537598.tif 000002
0004537598.tif 000003
【０１０６】
0004537598.tif 000004
0004537598.tif 000005
【０１０７】
0004537598.tif 000006
0004537598.tif 000007
【０１０８】
0004537598.tif 000008
0004537598.tif 000009
【０１０９】
0004537598.tif 000010
0004537598.tif 000011
【０１１０】
0004537598.tif 000012
0004537598.tif 000013
【０１１１】
0004537598.tif 000014
0004537598.tif 000015
【０１１２】
0004537598.tif 000016
0004537598.tif 000017
【０１１３】
0004537598.tif 000018
0004537598.tif 000019
【０１１４】
0004537598.tif 000020
0004537598.tif 000021
【０１１５】
0004537598.tif 000022
0004537598.tif 000023
【０１１６】
0004537598.tif 000024
0004537598.tif 000025
【０１１７】
0004537598.tif 000026
0004537598.tif 000027
【０１１８】
参考例１
ｆ＝39.301〜100.007〜193.017（ｍｍ）
Ｆナンバー  7.973〜10.826〜15.627
２ω＝56.2〜23.9〜12.7（°）
ｒ1＝-24.636           ｄ1＝1.000       ｎ1＝1.84666     ν1＝23.78
ｒ2＝-34.276           ｄ2＝0.100
ｒ3＝15.202            ｄ3＝2.573       ｎ2＝1.49700     ν2＝81.54
ｒ4＝553.846           ｄ4＝Ｄ１（可変）
ｒ5＝-307.847(非球面)  ｄ5＝1.000       ｎ3＝1.80043     ν3＝38.94
ｒ6＝101.758 (非球面)  ｄ6＝2.540
ｒ7＝∞（絞り）        ｄ7＝4.700
ｒ8＝33.332            ｄ8＝1.000       ｎ4＝1.78800     ν4＝47.40
ｒ9＝10.684            ｄ9＝2.449       ｎ5＝1.58575     ν5＝40.02
ｒ10＝-16.201          ｄ10＝Ｄ２（可変）
ｒ11＝-11.800(非球面)  ｄ11＝1.000      ｎ6＝1.72900     ν6＝54.80
ｒ12＝-22.039          ｄ12＝1.507
ｒ13＝-13.500          ｄ13＝1.000      ｎ7＝1.81600     ν7＝46.62
ｒ14＝-51.132
非球面係数
第５面      ｋ＝０
Ａ4＝-1.5631×10-5,  Ａ6＝-2.4139×10-7
Ａ8＝4.1076×10-8,  Ａ10＝-1.1478×10-9
第６面      ｋ＝０
Ａ4＝4.1078×10-5,  Ａ6＝-4,6924×10-7
Ａ8＝8.0361×10-8,  Ａ10＝-1,9837×10-9
第１１面    ｋ＝０
Ａ4＝1.0233×10-4,  Ａ6＝5.0453×10-7
Ａ8＝6.8687×10-9,  Ａ10＝-1.0260×10-11
ｆ    39.301    100.007     193.017
FB     9.001     40.067      87.026
D1     2.072      7.966      10.121
D2    10.102      4.221       2.009
ｆＷ＝39.30,      ｆＴ＝193.02,     ｆ１＝43.01
ｆ２＝29.68,      ｆ３＝-13.40,     ＬＴ＝118.02
ｈ＝21.60,        Ｒ２ｒ＝-16.20,    Ｒ３ｆ=-11.80
ｆ２Ｆ＝-95.44,   ｆ２Ｒ＝24.78,    ｄ２ＦＲ＝7.24
３ＧΣｄ＝3.51
ＬＴ／ｆＴ＝0.61
ｆ１／｜ｆ３｜＝3.21
｜ｆ３｜／ｆ２＝0.45
ｆ２Ｒ／ｈ＝1.15
｜Ｒ３ｆ｜／ｈ＝0.55
（Ｒ２ｒ×Ｒ３ｆ）／ｈ2＝0.41
ｆＴ×（ｆ１＋ｆ２−ｈ）／（ｆ１×ｆ２）＝7.725
ｆ１／ｆ２＝1.45
｜Ｇ３Σｄ／ｆ３｜＝0.26
｜ｆ３｜／ｈ＝0.62
ｆＴ／｜ｆ３｜＝14.40
Ｌ／ｈ＝0.38
ｆ２Ｒ／ｄ２ＦＲ＝3.42
【０１１９】
参考例２
ｆ＝39.300〜100.000〜193.001（ｍｍ）
Ｆナンバー  7.853〜10.772〜15.770
２ω＝56.2〜24.1〜12.7（°）
ｒ1＝13.893            ｄ1＝0.800       ｎ1＝1.84666     ν1＝23.78
ｒ2＝10.673            ｄ2＝3.197       ｎ2＝1.48749     ν2＝70.23
ｒ3＝69.482            ｄ3＝Ｄ１（可変）
ｒ4＝-13.287           ｄ4＝0.800       ｎ3＝1.77250     ν3＝49.60
ｒ5＝14.508            ｄ5＝2.839       ｎ4＝1.60342     ν4＝38.03
ｒ6＝-11.317 (非球面)  ｄ6＝0.800
ｒ7＝∞（絞り）        ｄ7＝11.668
ｒ8＝55.798            ｄ8＝3.084       ｎ5＝1.63854     ν5＝55.38
ｒ9＝-24.190           ｄ9＝Ｄ２（可変）
ｒ10＝-13.920 (非球面) ｄ10＝1.100      ｎ6＝1.81600     ν6＝46.62
ｒ11＝161.342
非球面係数
第６面      ｋ＝０
Ａ4＝1.6246×10-5,  Ａ6＝-7.4361×10-7
Ａ8＝1.8803×10-8,  Ａ10＝-2.7694×10-10
第１０面    ｋ＝０
Ａ4＝6.0769×10-5,  Ａ6＝1.8497×10-7
Ａ8＝-2.8892×10-9,  Ａ10＝1.8510×10-11
ｆ    39.300    100.000     193.001
FB     9.000     37.675      78.918
D1     2.196      9.993      13.494
D2    12.598      4.801       1.300
ｆＷ＝39.30,      ｆＴ＝193.30,     ｆ１＝45.93
ｆ２＝25.89,      ｆ３＝-15.66,     ＬＴ＝118.00
ｈ＝21.60,        Ｒ２ｒ＝-24.19,    Ｒ３ｆ=-13.92
ｆ２Ｆ＝-114.13,  ｆ２Ｒ＝26.83,    ｄ２ＦＲ＝12.47
３ＧΣｄ＝1.10
ＬＴ／ｆＴ＝0.61
ｆ１／｜ｆ３｜＝2.93
｜ｆ３｜／ｆ２＝0.60
ｆ２Ｒ／ｈ＝1.24
｜Ｒ３ｆ｜／ｈ＝0.64
（Ｒ２ｒ×Ｒ３ｆ）／ｈ2＝0.72
ｆＴ×（ｆ１＋ｆ２−ｈ）／（ｆ１×ｆ２）＝8.151
ｆ１／ｆ２＝1.77
｜Ｇ３Σｄ／ｆ３｜＝0.07
｜ｆ３｜／ｈ＝0.73
ｆＴ／｜ｆ３｜＝12.32
Ｌ／ｈ＝0.68
ｆ２Ｒ／ｄ２ＦＲ＝2.15
【０１２０】
0004537598.tif 000028
0004537598.tif 000029
ただし、ｒ1、ｒ2、・・・はレンズ各面の曲率半径、ｄ1、ｄ2、・・・は各レンズの肉厚および空気間隔、ｎ1、ｎ2、・・・は各レンズの屈折率、ν1、ν2、・・・は各レンズのアッベ数である。
【０１２１】
本発明の実施例１のズームレンズは、図１に示すような構成で、物体側より順に、正の第１群Ｇ１（ｒ1〜ｒ4）と、正の第２群Ｇ２（ｒ5〜ｒ11）と、負の第３群Ｇ３（ｒ12〜ｒ18）とよりなり、第１群Ｇ１が正レンズ（ｒ1〜ｒ2）と負レンズ（ｒ3〜ｒ4）とよりなり、第２群Ｇ２が負レンズ（ｒ5〜ｒ6）と正レンズ（ｒ7〜ｒ8）と正レンズ（ｒ10〜ｒ11）とよりなり、第３群が負レンズ（ｒ12〜ｒ13）と正レンズ（ｒ14〜ｒ15）と負レンズ（ｒ16〜ｒ18）よりなる。
【０１２２】
以上のように、実施例１のズームレンズは、第１群Ｇ１が正レンズと負レンズの２枚のレンズにて構成されている。また開口絞りＳ（ｒ9）が第２群内に配置され、その物体側が負レンズと負レンズよりなる前群Ｇ２Ｆで、その像側が正レンズよりなる後群Ｇ２Ｒであり、第３群Ｇ３中の最も像側のレンズは負レンズ（ｒ17〜ｒ18）の物体側に物体側の面（ｒ16）が非球面である樹脂層を設けたハイブリッドレンズである。また第２群中の物体側から２枚目の負レンズの像側の面（絞りＳの前の面ｒ8）が非球面である。
【０１２３】
この実施例１のズームレンズは、広角端から望遠端への変倍の際に、第１群Ｇ１、第２群Ｇ２、第３群Ｇ３がいずれも物体側へ移動する。その際、第１群Ｇ１と第３群Ｇ３は一体に移動する。
【０１２４】
この実施例１は、データ中に記載するように、条件（１）、（２）、（３）、（４）、（５）、（６）、（７）、（８）、（９）、（１０）、（１１）、（１２）、（１３）を満足する。また条件（１−１）、条件（２−１）、条件（３−１）、条件（４−１）、条件（５−１）、条件（６−１）、条件（７−１）、条件（８−１）、条件（８−２）、条件（１１−１）、条件（１２−１）、条件（１３−１）を満足する。
【０１２５】
この実施例の収差状況は、図１７、１８、１９に示す通りで、図１７は広角端、図１８は中間焦点距離、図１９は望遠端で収差はすべて良好に補正されている。これら図より実施例１のズームレンズは、広角端から望遠端までの全変倍域において収差は良好に補正されまた変倍時の変動が少ないことがわかる。
【０１２６】
この実施例は、変倍比が約４（３．９３）の高い変倍比であって、８枚のレンズの少ないレンズ枚数の小型であって、前記のような収差が良好に補正されまた収差変動の少ない光学性能が良好なズームレンズである。
【０１２７】
本発明の実施例２は、図２に示す通りで、物体側より順に、正の第１群Ｇ１（ｒ1〜ｒ4）と、正の第２群Ｇ２（ｒ5〜ｒ11）と、負の第３群Ｇ３（ｒ12〜ｒ17）とよりなり、第１群Ｇ１は正レンズ（ｒ1〜ｒ2）と負レンズ（ｒ3〜ｒ4）とよりなり、第２群Ｇ２は負レンズ（ｒ5〜ｒ6）と負レンズ（ｒ7〜ｒ8）とよりなる前群Ｇ２Ｆと開口絞りＳ（ｒ9）と正レンズ（ｒ10〜ｒ11）よりなる正の後群Ｇ２Ｒとよりなり、第３群Ｇ３が負レンズ（ｒ12〜ｒ13）と正レンズ（ｒ14〜ｒ15）と負レンズ（ｒ16〜ｒ17）とよりなる。
【０１２８】
このように実施例２は、第１群Ｇ１が正レンズと負レンズの２枚のレンズよりなり、第２群Ｇ２が開口絞りＳが設けられていてその前の負レンズと負レンズの前群Ｇ２Ｆと絞りＳの後方の正レンズよりなる後群Ｇ２Ｒとよりなり、第３群は３枚のレンズよりなる。
【０１２９】
この実施例２は、第４レンズ（第２群中の第２番目の負レンズ）がプラスチックモールドにより成形された非球面レンズで、その像側の面（ｒ8）が非球面である。また第３群Ｇ３の最も物体側のレンズが非球面レンズでその物体側の面（ｒ12）が非球面である。
【０１３０】
この実施例２も第１、第２、第３群Ｇ１、Ｇ２、Ｇ３のすべてが広角端から望遠端への変倍の際に物体側へ移動し、また第１群Ｇ１と第３群Ｇ３とは一体に移動する。
【０１３１】
この実施例２は条件（１）乃至条件（１３）および条件（１−１）、（２−１）、（３−１）、（４−１）、（５−１）、（６−１）、（７−１）、（８−１）、（８−２）、（１１−１）、（１２−１）、（１３−１）のすべてを満足する。
【０１３２】
この実施例２は、実施例１と類似の構成であるがハイブリッドレンズは用いられておらず、また第２群の前群Ｇ２Ｆの２番目のレンズがプラスチックモールドにより非球面レンズである点等において実施例１と相違する。
【０１３３】
この実施例は変倍比が約４（３．９３）の高変倍であり、８枚の少ないレンズ枚数で小型であり光学性能が良好なズームレンズである。
【０１３４】
実施例３は、図３に示す通りのレンズ系で、物体側より順に、正の第１群Ｇ１（ｒ1〜ｒ4）と、正の第２群Ｇ２（ｒ5〜ｒ11）と、負の第３群Ｇ３（ｒ12〜ｒ16）とよりなる。そして、第１群Ｇ１は正レンズ（ｒ1〜ｒ2）と負レンズ（ｒ3〜ｒ4）とよりなり、第２群Ｇ２は負レンズ（ｒ5〜ｒ6）と負レンズ（ｒ7〜ｒ8）と正レンズ（ｒ10〜ｒ11）よりなり、第３群Ｇ３は負レンズ（ｒ12〜ｒ13）と正レンズ（ｒ13〜ｒ14）よりなる接合レンズと負レンズ（ｒ15〜ｒ16）とよりなる。
【０１３５】
この実施例３は、第１群Ｇ１が正レンズと負レンズの２枚のレンズよりなり、また第２群Ｇ２が負レンズと負レンズよりなる前群Ｇ２Ｆと開口絞りＳと正レンズよりなる正の後群Ｇ２Ｒとよりなり、これらは実施例１と同様の構成である。しかし、第３群Ｇ３が負レンズと正レンズとを接合した接合レンズと負レンズとよりなる点で実施例１と相違する。
【０１３６】
また、実施例２と同様に第４レンズ（第２群の２番目の負レンズ）が非球面レンズであり、その像側の面（ｒ8）が非球面である。また第３群Ｇ３の接合レンズの物体側の面（ｒ12）も非球面である。
【０１３７】
この実施例３も、広角端から望遠端への変倍の際、第１群Ｇ１、第２群Ｇ２、第３群Ｇ３のすべてが物体側へ移動する。また、その際第１群Ｇ１と第３群Ｇ３とは一体に移動する。
【０１３８】
この実施例３は、条件（１）乃至条件（１３）および条件（１−１）、（２−１）、（３−１）、（４−１）、（５−１）、（６−１）、（７−１）、（８−１）、（８−２）、（１１−１）、（１２−１）、（１３−１）のすべての条件を満足する。
【０１３９】
この実施例も実施例１、２と同様に変倍比が約４（３．９３）の高変倍でレンズ枚数が８枚の小型なレンズ系で、光学性能が良好なズームレンズである。
【０１４０】
実施例４は、図４に示す通りの構成で、物体側より順に、正の第１群Ｇ１（ｒ1〜ｒ4）と、正の第２群Ｇ２（ｒ5〜ｒ9）と、負の第３群Ｇ３（ｒ10〜ｒ16）とよりなる。そして、第１群Ｇ１が正レンズ（ｒ1〜ｒ2）と負レンズ（ｒ3〜ｒ4）とよりなり、第２群Ｇ２が負レンズ（ｒ5〜ｒ6）と正レンズ（ｒ8〜ｒ9）とよりなり、第３群Ｇ３が負レンズ（ｒ10〜ｒ11）と正レンズ（ｒ12〜ｒ13）と負レンズ（ｒ14〜ｒ16）とよりなる。
【０１４１】
この実施例４は、第１群Ｇ１と第３群Ｇ３とは実施例１と同様の構成であるが、第２群Ｇ２が負レンズの前群Ｇ２Ｆと開口絞りＳ（ｒ9）と正レンズよりなる正の後群Ｇ２Ｒとよりなり、実施例１と相違する。つまり、第２群Ｇ２の前群Ｇ２Ｆが１枚の負レンズからなり、前群Ｇ２Ｆが２枚の負レンズよりなる実施例１等と相違する。
【０１４２】
この実施例４も、広角端より望遠端への変倍において、第１、第２、第３群Ｇ１、Ｇ２、Ｇ３のすべてが物体側へ移動する。また、第１群Ｇ１と第３群Ｇ３とは一体に移動する。
【０１４３】
この実施例４は、第２群Ｇ２の後群Ｇ２Ｒの物体側の面（ｒ18）が非球面であり、また、第３群Ｇ３の最も像側の負レンズが、その物体側の面に樹脂層を設けたハイブリッドレンズで、その物体側の面（ｒ14）が非球面である。
【０１４４】
実施例４は、条件（１）乃至条件（１３）および条件（１−１）、（２−１）、（３−１）、（４−１）、（５−１）、（６−１）、（７−１）、（８−１）、（８−２）、（１１−１）、（１２−１）、（１３−１）のすべての条件を満足する。
【０１４５】
実施例４も実施例１〜３と同様に変倍比が約４（３．９３）であるが、レンズ枚数が７枚と更に小型でしかも良好な光学性能を有するズームレンズである。
【０１４６】
実施例５は、図５に示すレンズ系で、物体側より順に、正の第１群Ｇ１（ｒ1〜ｒ4）と正の第２群Ｇ２（ｒ5〜ｒ11）と負の第３群Ｇ３（ｒ12〜ｒ18）とよりなる。また、第１群Ｇ１は正レンズ（ｒ1〜ｒ2）と負レンズ（ｒ3〜ｒ4）とよりなり、第２群Ｇ２は負レンズ（ｒ5〜ｒ6）と正レンズ（ｒ7〜ｒ8）と正レンズ（ｒ10〜ｒ11）よりなり、第３群Ｇ３が負レンズ（ｒ12〜ｒ13）と正レンズ（ｒ14〜ｒ15）と負レンズ（ｒ16〜ｒ18）よりなる。
【０１４７】
このように、実施例５は実施例１と同様に、第１群Ｇ１が正レンズと負レンズの２枚のレンズよりなり、第２群Ｇ２が絞りＳより物体側の負レンズと正レンズよりなる前群Ｇ２Ｆと絞りＳより像側の正レンズよりなる正の後群Ｇ２Ｒとよりなり、第３群Ｇ３が負レンズと正レンズと負レンズよりなる。また、第４レンズである第２群Ｇ２の前群Ｇ２Ｆの絞りＳ側のレンズがプラスチックモールド非球面レンズで、絞り側の面が非球面であり、第３群Ｇ３の最も像側のレンズが物体側に非球面（ｒ16）を有する樹脂層を設けたハイブリッドレンズである。
【０１４８】
この実施例５も広角端から望遠端への変倍の際、第１群Ｇ１、第２群Ｇ２、第３群Ｇ３がいずれも物体側へ移動するもので、第１群Ｇ１と第３群Ｇ３とは一体に移動する。
【０１４９】
この実施例５は、条件（１）乃至条件（１３）および条件（１−１）、（２−１）、（３−１）、（４−１）、（５−１）、（６−１）、（７−１）、（８−１）、（１１−１）、（１２−１）、（１３−１）を満足するが、条件８−２）は満足しない。
【０１５０】
この実施例５は、実施例１と同様８枚のレンズよりなるが、変倍比が約５（４．９１）で実施例１〜４よりも高い変倍比を有し、光学性能が良好なズームレンズである。
【０１５１】
実施例６は、図６に示すレンズ系で、物体側より順に、正の第１群Ｇ１（ｒ1〜ｒ4）と正の第２群Ｇ２（ｒ5〜ｒ9）と負の第３群Ｇ３（ｒ10〜ｒ16）とよりなり、第１群Ｇ１が正レンズ（ｒ1〜ｒ2）と負レンズ（ｒ3〜ｒ4）よりなり、第２群Ｇ２が負レンズ（ｒ5〜ｒ6）の前群Ｇ２Ｆと開口絞りＳ（ｒ7）と正レンズ（ｒ8〜ｒ9）の正の後群Ｇ２Ｒとよりなる。また第３群Ｇ３は負レンズ（ｒ10〜ｒ11）と正レンズ（ｒ12〜ｒ13）と負レンズ（ｒ14〜ｒ16）とよりなり最も像側のレンズが物体側の面に非球面（ｒ14）を有する樹脂層を設けたハイブリッドレンズよりなる。また第２群の後群Ｇ２Ｒの絞りＳ側の面が非球面である。
【０１５２】
また、実施例６も、広角端から望遠端への変倍の際、第１群Ｇ１、第２群Ｇ２、第３群Ｇ３のすべての群が物体側へ移動する。ここで第１群Ｇ１と第３群Ｇ３とは一体に移動する。
【０１５３】
この実施例６は、条件（１）乃至条件（１３）および条件（１−１）、（２−１）、（３−１）、（４−１）、（５−１）、（６−１）、（７−１）、（８−１）、（１１−１）、（１２−１）、（１３−１）を満足する。
【０１５４】
この実施例６は第２群の前群Ｇ２Ｆが１枚の負レンズよりなる点で実施例１とは相違し、実施例４と類似の構成のズームレンズである。また、この実施例６は条件（３−２）を満足しない。
【０１５５】
実施例６は変倍比が約５（４．９１）のより高変倍のレンズ系で、しかも７枚の少ないレンズにて構成されていて、良好な光学性能を有するズームレンズである。
【０１５６】
実施例７は、図７に示す通りの構成であって、物体側より順に、正の第１群Ｇ１（ｒ1〜ｒ4）と正の第２群Ｇ２（ｒ5〜ｒ11）と負の第３群Ｇ３（ｒ12〜ｒ18）とよりなる。
【０１５７】
また、第１群Ｇ１は正レンズ（ｒ1〜ｒ2）と負レンズ（ｒ3〜ｒ4）とよりなり、第２群Ｇ２は負レンズ（ｒ5〜ｒ6）と正レンズ（ｒ7〜ｒ8）と正レンズ（ｒ10〜ｒ11）よりなり、第３群Ｇ３は負レンズ（ｒ12〜ｒ13）と正レンズ（ｒ14〜ｒ15）と負レンズ（ｒ16〜ｒ18）よりなる。
【０１５８】
この実施例７は、実施例１と同様に、第１群Ｇ１が正レンズと負レンズの２枚のレンズよりなり、第２群Ｇ２が絞りＳを有しその物体側の負レンズと正レンズの前群Ｇ２Ｆとその像側の正レンズの後群Ｇ２Ｒとよりなり、第３群Ｇ３の最も像側のレンズが、物体側に非球面（ｒ16）を有する樹脂層を設けたハイブリッドレンズである。
【０１５９】
また、第２群の前群Ｇ２Ｆの絞り側のレンズは、プラスチックモールド非球面レンズで、面（ｒ8）が非球面である。
【０１６０】
この実施例７も広角端から望遠端への変倍の際に、第１群Ｇ１、第２群Ｇ２、第３群Ｇ３のいずれも物体側へ移動する。また、第１群Ｇ１と第３群Ｇ３とは一体に移動する。
【０１６１】
また実施例７は、条件（１）乃至条件（１３）および条件（１−１）、（２−１）、（３−１）、（４−１）、（５−１）、（６−１）、（７−１）、（８−１）、（１１−１）、（１２−１）、（１３−１）を満足する。しかし条件（８−２）を満足しない。
【０１６２】
この実施例７は実施例１と同様の８枚のレンズよりなるが、変倍比が約６（６．１４）で極めて高い変倍比であり、しかも良好な光学性能を有するズームレンズである。
【０１６３】
実施例８は、図８に示すように、物体側より順に、正の第１群Ｇ１（ｒ1〜ｒ3）と正の第２群Ｇ２（ｒ4〜ｒ9）と負の第３群Ｇ３（ｒ10〜ｒ15）とよりなり、第１群Ｇ１が正レンズ（ｒ1〜ｒ2）と負レンズ（ｒ2〜ｒ3）とを接合した接合レンズよりなり、第２群Ｇ２が負レンズ（ｒ4〜ｒ5）と正レンズ（ｒ5〜ｒ6）とを接合した接合レンズと正レンズ（ｒ8〜ｒ9）とよりなり、、第３群Ｇ３が負レンズ（ｒ10〜ｒ11）と正レンズ（ｒ12〜ｒ13）と負レンズ（ｒ14〜ｒ15）よりなる。
【０１６４】
前記のように、実施例８のレンズ系は、第１群Ｇ１が物体側より正レンズと負レンズを接合した接合レンズの２枚のレンズよりなり、第２群Ｇ２が開口絞り（ｒ7）を有しその物体側の負レンズと正レンズの接合レンズの前群Ｇ２Ｆと絞りＳより物体側の正レンズよりなる正の後群Ｇ２Ｒとよりなり、第３群Ｇ３が負レンズと正レンズと負レンズの３枚のレンズよりなる。また第２群の後群Ｇ２Ｒの像側の面（ｒ7）と第３群Ｇ３の正レンズの物体側の面（ｒ12）と像側の負レンズの物体側の面（ｒ14）とが非球面である。
【０１６５】
この実施例８のズームレンズは、広角端から望遠端への変倍の際に、第１群Ｇ１、第２群Ｇ２、第３群Ｇ３が物体側へ移動する。また、各群がすべて独立して移動する点で他の実施例１乃至実施例７と相違する。
【０１６６】
この実施例８は、条件（１）乃至条件（１３）および条件（１−１）、（２−１）、（３−１）、（４−１）、（５−１）、（６−１）、（７−１）、（８−１）、（１１−１）、（１２−１）、（１３−１）を満足する。
【０１６７】
実施例８は、第１群Ｇ１と第２群の前群Ｇ２Ｆがいずれも接合レンズであり、また変倍の際にすべての群が独立に移動する点で他の実施例１〜７と相違する。また、変倍比は約５（４．９）の比較的高変倍で性能が良好なズームレンズである。
【０１６８】
実施例９は、図９に示す通りの構成であって、物体側より順に、正の第１群Ｇ１（ｒ1〜ｒ3）と正の第２群Ｇ２（ｒ4〜ｒ8）と負の第３群Ｇ３（ｒ9〜ｒ13）とよりなる。また、第１群Ｇ１は正レンズ（ｒ1〜ｒ2）と負レンズ（ｒ2〜ｒ3）とを接合した接合レンズよりなり、第２群Ｇ２は負レンズ（ｒ4〜ｒ5）と正レンズ（ｒ7〜ｒ8）とよりなり、第３群Ｇ３は負レンズ（ｒ9〜ｒ10）と正レンズ（ｒ10〜ｒ11）と負レンズ（ｒ12〜ｒ13）よりなる。
【０１６９】
このように、実施例９は第１群Ｇ１が正レンズと負レンズとよりなり、実施例８と同様両レンズを接合した接合レンズであり、第２群Ｇ２が絞りＳ（ｒ6）の物体側の負レンズ１枚よりなる前群Ｇ２Ｆと絞りＳより像側の正レンズよりなる後群Ｇ２Ｒとよりなり実施例４等と同様前群Ｇ２Ｆが１枚のレンズよりなり、第３群Ｇ３が実施例３と同様、物体側負レンズと次の正レンズとを接合レンズにしてある。
【０１７０】
また実施例９は第２群Ｇ２の最も像側の面（ｒ8）と第３群Ｇ３の最も物体側の面（ｒ9）が非球面である。
【０１７１】
この実施例９は、広角端から望遠端への変倍の際、実施例８と同様に各群が独立して物体側へ移動する。
【０１７２】
この実施例９は、条件（１）乃至条件（１３）および条件（１−１）、（２−１）、（３−１）、（４−１）、（５−１）、（６−１）、（７−１）、（８−１）、（８−２）、（１１−１）、（１２−１）、（１３−１）のすべての条件を満足する。
【０１７３】
実施例９は、変倍比が約５（４．９）の実施例８と同様の高い変倍比で、しかも７枚の比較的少ない枚数の小型なズームレンズである。
【０１７４】
実施例１０は、図１０に示す通り、物体側より順に、正の第１群Ｇ１（ｒ1〜ｒ3）と正の第２群Ｇ２（ｒ4〜ｒ8）と負の第３群Ｇ３（ｒ9〜ｒ14）とよりなる。また、第１群Ｇ１は正レンズ（ｒ1〜ｒ2）と負レンズ（ｒ2〜ｒ3）を接合した接合レンズよりなり、第２群Ｇ２は絞りＳ（ｒ6）の物体側の負レンズ（ｒ4〜ｒ5）よりなる前群Ｇ２Ｆと絞りＳの像側の正レンズ（ｒ7〜ｒ8）よりなる後群Ｇ２Ｒとよりなり、第３群Ｇ３は負レンズ（ｒ9〜ｒ10）と正レンズ（ｒ11〜ｒ12）と負レンズ（ｒ13〜ｒ14）とよりなる。また、第２群の後群Ｇ２Ｒの最も物体側の面（ｒ8）と第３群Ｇ３の最も物体側の面（ｒ9）とが非球面である。
【０１７５】
この実施例１０は、広角端から望遠端への変倍に際して、第１群Ｇ１と第２群Ｇ２と第３群Ｇ３のすべてを独立して物体側へ移動する。
【０１７６】
またこの実施例１０は、条件（１）乃至条件（１３）および条件（１−１）、（２−１）、（３−１）、（４−１）、（５−１）、（６−１）、（７−１）、（８−１）、（１１−１）、（１２−１）、（１３−１）を満足する。
【０１７７】
この実施例１０も第２群の前群Ｇ２Ｆが１枚のレンズよりなり全体で７枚のレンズよりなる。また、変倍比が約５（４．９）の高変倍で光学性能が良好なズームレンズである。
【０１７８】
実施例１１は、図１１に示す通りの構成で、物体側より順に、正の第１群Ｇ１（ｒ1〜ｒ3）と正の第２群Ｇ２（ｒ4〜ｒ9）と負の第３群Ｇ３（ｒ10〜ｒ13）とよりなり、第１群Ｇ１は正レンズ（ｒ1〜ｒ2）と負レンズ（ｒ2〜ｒ3）とを接合した接合レンズよりなり、第２群Ｇ２は負レンズ（ｒ4〜ｒ5）と正レンズ（ｒ5〜ｒ6）とを接合した接合レンズと正レンズ（ｒ8〜ｒ9）とよりなり、第３群Ｇ３は負レンズ（ｒ10〜ｒ11）と負レンズ（ｒ12〜ｒ13）よりなる。
【０１７９】
この実施例１１は、第１群Ｇ１が正レンズと負レンズの接合レンズよりなり、第２群Ｇ２は負レンズと正レンズとの接合レンズの前群Ｇ２Ｆと正レンズよりなる後群Ｇ２Ｒとよりなり、第３群Ｇ３が正レンズと負レンズの２枚のレンズよりなる。また、第２群の後群Ｇ２Ｒの像側の面（ｒ9）と第３群Ｇ３の物体側の面（ｒ10）とが非球面である。
【０１８０】
この実施例１１は、広角端と望遠端への変倍の際に、第１群Ｇ１と第２群Ｇ２と第３群Ｇ３とが物体側へ別々に移動する。
【０１８１】
またこの実施例１１は、条件（１）乃至条件（１３）および条件（１−１）、（２−１）、（３−１）、（４−１）、（５−１）、（６−１）、（７−１）、（８−１）、（８−２）、（１１−１）、（１２−１）、（１３−１）のすべての条件を満足する。
【０１８２】
この実施例１１は変倍比約５（４．９１）の高変倍で、また第３群Ｇ３を２枚の負レンズにて構成することにより全体が７枚の少ないレンズ枚数にしたズームレンズである。
【０１８３】
実施例１２は図１２に示す通りで、物体側より順に、正の第１群Ｇ１（ｒ1〜ｒ3）と正の第２群Ｇ２（ｒ4〜ｒ9）と負の第３群Ｇ３（ｒ10〜ｒ11）とよりなる。また、第１群Ｇ１は正レンズ（ｒ1〜ｒ2）と負レンズ（ｒ2〜ｒ3）を接合した接合レンズよりなり、第２群Ｇ２は開口絞りＳ（ｒ7）より物体側の負レンズ（ｒ4〜ｒ5）と正レンズ（ｒ5〜ｒ6）とを接合した接合レンズの前群Ｇ２Ｆと絞りＳより像側の正レンズ（ｒ8〜ｒ9）よりなる後群Ｇ２Ｒとよりなり、第３群Ｇ３が１枚の負レンズのみからなる。
【０１８４】
このように、第１群Ｇ１が正レンズと負レンズとよりなり、また実施例  と同様接合レンズであり、第２群Ｇ２は前群Ｇ２Ｆと正の後群Ｇ２Ｒとよりなり、実施例  等と同様前群Ｇ２Ｆが負レンズと正レンズの接合レンズよりなる。また第３群Ｇ３が他の実施例とは異なり負レンズ１枚よりなり、少ないレンズ枚数にて小型なレンズ系である。
【０１８５】
この実施例１２のズームレンズは、広角端から望遠端への変倍の際に、第１群Ｇ１、第２群Ｇ２、第３群Ｇ３を物体側へ移動するもので、その際第１群Ｇ１と第３群Ｇ３とを一体に移動させる。
【０１８６】
また、実施例１２は、条件（１）乃至条件（１３）および条件（１−１）、（２−１）、（３−１）、（４−１）、（５−１）、（６−１）、（７−１）、（８−１）、（８−２）、（１１−１）、（１２−１）、（１３−１）のすべての条件を満足する。
【０１８７】
この実施例１２は、変倍比が約５（４．９１）の高変倍で、また第３群Ｇ３を１枚の負レンズのみにて構成し、これにより全体で６枚の極めて少ないレンズの小型なズームレンズである。
【０１８８】
実施例１３は図１３に示すような構成のズームレンズである。即ち、物体側より順に、正の第１群Ｇ１（ｒ1〜ｒ4）と正の第２群Ｇ２（ｒ5〜ｒ10）と負の第３群Ｇ３（ｒ11〜ｒ14）とよりなる。また、第１群Ｇ１は正レンズ（ｒ3〜ｒ4）とよりなり、第２群Ｇ２は開口絞りＳ（ｒ7）より物体側の負レンズ（ｒ5〜ｒ6）とよりなる前群Ｇ２Ｆと絞りＳより像側の負レンズ（ｒ8〜ｒ9）と正レンズ（ｒ9〜ｒ10）とを接合した正の接合レンズよりなる後群Ｇ２Ｒとよりなり、第３群Ｇ３は正レンズと負レンズの２枚のレンズよりなる。
【０１８９】
この実施例１３は、第１群Ｇ１が他の実施例とは異なり物体側より負レンズと正レンズの２枚のレンズよりなる。また第２群Ｇ２は前群Ｇ２Ｆが負レンズ１枚のみからなり一方後群が負レンズと正レンズの接合レンズの２枚のレンズからなる点で他の実施例と相違する。更に第３群が実施例１１と同様正レンズと負レンズの２枚のレンズよりなる。そして全体で７枚のレンズにて構成され実施例  等と同様比較的少ないレンズ枚数にて構成されている。また第２群の前群Ｇ２Ｆの負レンズの両面（ｒ5とｒ6）と第３群Ｇ３の物体側の正レンズの物体側の面（ｒ11）と像側の負レンズの物体側の面（ｒ13）の四つの面が非球面である。
【０１９０】
実施例１３のレンズ系は、広角端から望遠端への変倍の際に、第１群Ｇ１、第２群Ｇ２、第３群Ｇ３がいずれも物体側へ移動し、またその時第１群Ｇ１と第３群Ｇ３とが一体に移動する。
【０１９１】
また、実施例１３は、条件（１）乃至条件（１３）および条件（１−１）、（２−１）、（３−１）、（４−１）、（５−１）、（６−１）、（７−１）、（８−２）、（１３−１）を満足する。
【０１９２】
実施例１３は変倍比が約５（４．９０）の高変倍で、７枚のレンズよりなる小型な光学性能が良好なズームレンズである。
【０１９３】
参考例１は、図１４に示す通りで、物体側より順に、正の第１群Ｇ１（ｒ1〜ｒ4）と正の第２群Ｇ２（ｒ5〜ｒ10）と負の第３群Ｇ３（ｒ11〜ｒ14）とよりなり、第２群Ｇ２が負レンズ（ｒ5〜ｒ6）よりなる前群Ｇ２Ｆと開口絞りＳ（ｒ7）と正レンズ（ｒ8〜ｒ9）と負レンズ（ｒ9〜ｒ10）との接合レンズよりなる後群Ｇ２Ｒとよりなり、第３群Ｇ３が負レンズ（ｒ11〜ｒ12）と負レンズ（ｒ13〜ｒ14）の２枚のレンズよりなる。
【０１９４】
参考例１のレンズ系は、広角端から望遠端への変倍の際に第１群Ｇ１と第２群Ｇ２と第３群Ｇ３とが物体側へ移動し、その際第１群Ｇ１と第３群が一体移動する。
【０１９５】
この参考例１は、第３群Ｇ３が２枚の負レンズよりなる点と非球面が第２群の前群Ｇ２Ｆの負レンズの両面（ｒ5とｒ10）と第３群Ｇ３の物体側の負レンズの物体側の面（ｒ11）の三つの面が非球面である点が実施例１３と異なるが他は同様の構成で、７枚の比較的少ない枚数で小型のレンズ系である。
【０１９６】
この参考例１は、条件（１）乃至条件（３）、条件（５）乃至条件（１３）および条件（１−１）、（２−１）、（３−１）、（４−１）、（５−１）、（６−１）、（７−１）、（８−２）、（１１−１）、（１２−１）、（１３−１）を満足する。
【０１９７】
参考例１は、実施例１３と同様変倍比が約５（４．９０）の高変倍で、７枚のレンズよりなる小型で高性能なズームレンズである。
【０１９８】
参考例２は図１５に示す通りの構成である。つまり物体側より順に、正の第１群Ｇ１（ｒ1〜ｒ3）と正の第２群Ｇ２（ｒ4〜ｒ9）と負の第３群Ｇ３（ｒ10〜ｒ11）とよりなり、第１群Ｇ１は負レンズ（ｒ1〜ｒ2）と正レンズ（ｒ2〜ｒ3）との接合レンズよりなり、第２群Ｇ２が負レンズ（ｒ4〜ｒ5）と正レンズ（ｒ5〜ｒ6）を接合レンズの前群Ｇ２Ｆと開口絞りＳ（ｒ7）と正レンズ（ｒ8〜ｒ9）の後群Ｇ２Ｒとよりなり、第３群Ｇ３が負レンズ（ｒ10〜ｒ11）１枚よりなる。
【０１９９】
この参考例２は、第１群Ｇ１が物体側より順に負レンズと正レンズとの接合レンズであり、第３群Ｇ３が１枚の負レンズのみからなる点が他の実施例と異なっている。また、第２群の前群Ｇ２Ｆの絞り側の正レンズの絞り側の面（ｒ6）と第３群Ｇ３の負レンズの物体側の面（ｒ10）が非球面である。
【０２００】
この参考例２のズームレンズは、広角端から望遠端への変倍の際に、第１群Ｇ１と第２群Ｇ２と第３群Ｇ３とが物体側へ移動し、また第１群Ｇ１と第３群Ｇ３が一体に移動する。
【０２０１】
以上のように参考例２は、第３群Ｇ３を１枚の負レンズのみにて構成して６枚の非常に少ない枚数で、また非球面を２面で小型で低コストのレンズである。
【０２０２】
この参考例２は、条件（１）乃至条件（３）、条件（５）乃至条件（１３）および条件（１−１）、（２−１）、（３−１）、（４−１）、（５−１）、（６−１）、（７−１）、（８−１）、（８−２）、（１１−１）、（１２−１）、（１３−１）のすべての条件を満足する。
【０２０３】
実施例１６は、図１６に記載する通りのズームレンズである。即ち、物体側より順に、正の第１群Ｇ１（ｒ1〜ｒ4）と正の第２群Ｇ２（ｒ5〜ｒ10）と負の第３群Ｇ３（ｒ11〜ｒ12）とよりなり、第１群Ｇ１が負レンズ（ｒ1〜ｒ2）と正レンズ（ｒ3〜ｒ4）の２枚よりなり、第２群Ｇ２が負レンズ（ｒ5〜ｒ6）と正レンズ（ｒ6〜ｒ7）とを接合した接合レンズと正レンズ（ｒ9〜ｒ10）とよりなり、第３群Ｇ３が負レンズｒ11〜ｒ12）１枚よりなる。
【０２０４】
このように、第１群Ｇ１が接合レンズではないが実施例１５と同様物体側より負レンズと正レンズとよりなり、第２群Ｇ２が開口絞りＳ（ｒ8）の物体側の負レンズと正レンズの接合レンズの前群Ｇ２Ｆと絞りＳの像側の正レンズの正の後群Ｇ２Ｒとよりなり、また第３群Ｇ３は負レンズ１枚よりなる。つまり第１群Ｇ１が分離されている点を除くと実施例１５と同様の構成で、６枚の極めて少ないレンズ枚数にて構成されたレンズ系である。また非球面が第２群の後群Ｇ２Ｒの正レンズの像側の面（ｒ10）と第３群Ｇ３の負レンズの物体側の面（ｒ11）と２面のみである。
【０２０５】
またこの実施例１６のズームレンズは、広角端より望遠端への変倍に際して、第１群Ｇ１、第２群Ｇ２、第３群Ｇ３を物体側へ移動させるもので、その時第１群Ｇ１と第３群Ｇ３とは一体に移動する。
【０２０６】
実施例１６は、条件（１）乃至条件（１３）および条件（１−１）、（２−１）、（３−１）、（４−１）、（５−１）、（６−１）、（７−１）、（８−１）、（８−２）、（１１−１）、（１２−１）、（１３−１）のすべての条件を満足する。
【０２０７】
参考例２と実施例１６は、いずれも第１群Ｇ１が物体側より負レンズと正レンズよりなるレンズ系で、第３群Ｇ３を１枚のレンズして全体で６枚の極めて少ないレンズ枚数の小型であって、光学性能が良好なズームレンズである。
【０２０８】
以上の各実施例および参考例において用いられる非球面の形状は光軸方向をｘ、光軸に直角な方向をｙとした時下記の式にて表わされる。
0004537598.tif 000030
【０２０９】
ここで、ｒは基準球面の曲率半径、ｋは円錐定数、Ａ4、Ａ6、Ａ8、Ａ10は夫々４次、６次、８次、１０次の非球面係数である。
【０２１０】
以上述べた実施例のズームレンズは、変倍比が３．５以上の高い変倍比で、レンズ枚数が６枚〜８枚の少ない枚数で望遠端での全長が短い。
【０２１１】
したがって、これら実施例のズームレンズを備えた本発明のカメラは、厚さが薄く小型なカメラになし得る。
【０２１２】
また実施例１の収差状況は、図１７に示すように良好に補正されまた変倍の際の変動が少なく良好であることは既に述べた通りであるが、実施例２乃至実施例１６も実施例１と同様に良好に補正されまた変動が少ない。
【０２１３】
本発明のカメラに用いるズームレンズは以上詳細に述べた通りで、特許請求の範囲に記載する構成のほか下記の各項に記載する特徴を有する。
【０２１４】
（１）  特許請求の範囲の請求項１、２、３、４または５に記載するレンズ系で、下記条件（７）を満足することを特徴とするズームレンズ。
（７）  ５．６≦ｆＴ×（ｆ１＋ｆ２−ｈ）／（ｆ１×ｆ２）≦１２．５
【０２１５】
（２）  特許請求の範囲の請求項３、４または５に記載するレンズ系で、下記条件（１）を満足するズームレンズ。
（１）  ０．５５≦ＬＴ／ｆＴ≦０．７５
【０２１６】
（３）  特許請求の範囲の請求項１、３または５に記載するレンズ系で、下記条件（５）を満足することを特徴とするズームレンズ。
（５）  ０．４５≦｜Ｒ３ｆ｜／ｈ≦７．０
【０２１７】
（４）  特許請求の範囲の請求項２に記載するレンズ系で、下記条件（２）を満足することを特徴とするズームレンズ。
（２）  ２．６≦ｆ１／｜ｆ３｜≦４．５
【０２１８】
（５）  特許請求の範囲の請求項２に記載するレンズ系で、下記条件（３）を満足することを特徴とするズームレンズ。
（３）  ０．３５≦｜ｆ３｜／ｆ２≦０．６３
【０２１９】
（６）  特許請求の範囲の請求項２または５に記載するレンズ系で、下記条件（４）を満足することを特徴とするズームレンズ。
（４）  ０．７３≦ｆ２Ｒ／ｈ≦１．５０
【０２２０】
（７）  特許請求の範囲の請求項１、４または５に記載するレンズ系で、下記条件（６）を満足することを特徴とするズームレンズ。
（６）  ０．２９≦（Ｒ２ｒ×Ｒ３ｆ）／ｈ2≦３．５
【０２２１】
（８）  特許請求の範囲の請求項１、４または５に記載するレンズ系で、前記第２群中に開口絞りを有し、前記第２群が前記絞りより物体側の前群と像側の正の後群とよりなることを特徴とするズームレンズ。
【０２２２】
（９）  特許請求の範囲の請求項１、２、３、４または５に記載するレンズ系で、下記条件（８）を満足することを特徴とするズームレンズ。
（８）  ０．８≦ｆ１／ｆ２≦２．７
【０２２３】
（１０）  特許請求の範囲の請求項１、２、３、４または５に記載するレンズ系で、前記第１群が物体側より順に、正レンズと負レンズとを有することを特徴とするズームレンズ。
【０２２４】
（１１）  特許請求の範囲の請求項１、２、３、４または５に記載するレンズ系で、前記第１群が物体側より順に、負レンズと正レンズとを有することを特徴とするズームレンズ。
【０２２５】
（１２）  特許請求の範囲の請求項１、２、３、４または５に記載するレンズ系で、下記条件（９）を満足することを特徴とするズームレンズ。
（９）  ０．０５≦｜Ｇ３Σｄ／ｆ３｜≦０．６９
【０２２６】
（１３）  特許請求の範囲の請求項１、２、３、４または５に記載するレンズ系で、下記条件（８−１）を満足することを特徴とするズームレンズ。
（８−１）  １．５≦ｆ１／ｆ２≦２．７
【０２２７】
（１４）  特許請求の範囲の請求項１、２、３、４または５に記載するレンズ系で、下記条件（８−２）を満足することを特徴とするズームレンズ。
（８−２）  １．０≦ｆ１／ｆ２≦１．９
【０２２８】
（１５）  特許請求の範囲の請求項１、２、３、４または５に記載するレンズ系で、下記条件（１０）を満足することを特徴とするズームレンズ。
（１０）  ０．４８≦｜ｆ３｜／ｈ≦０．８９
【０２２９】
（１６）  特許請求の範囲の請求項１、２、３、４または５に記載するレンズ系で、下記条件（１１）を満足することを特徴とするズームレンズ。
（１１）  ７．０≦ｆＴ／｜ｆ３｜≦２５．０
【０２３０】
（１７）  特許請求の範囲の請求項１、２、３または４に記載するレンズ系で、変倍時第１群と第３群とが一体に移動することを特徴とするズームレンズ。
【０２３１】
（１８）  特許請求の範囲の請求項１、２、３、４または５に記載するレンズ系で、下記条件（１２）を満足することを特徴とするズームレンズ。
（１２）  ０．１３≦Ｌ／ｈ≦１．２
【０２３２】
（１９）  特許請求の範囲の請求項１に記載するレンズ系で、条件（１）、条件（２）、条件（３）、条件（４）のいずれか一つの条件または複数の条件に代えて下記条件（１−１）、（２−１）、（３−１）、（４−１）を満足することを特徴とする小型高変倍ズームレンズを備えたカメラ。
（１−１）  ０．５５≦ＬＴ／ｆＴ≦０．７１
（２−１）  ２．６≦ｆ１／｜ｆ３｜≦３．６
（３−１）  ０．４≦｜ｆ３｜／ｆ２≦０．６１
（４−１）  ０．７５≦ｆ２Ｒ／ｈ≦１．３
【０２３３】
（２０）  特許請求の範囲の請求項２に記載するレンズ系で、条件（１）、条件（５）、条件（６）のいずれか一つの条件または複数の条件に代えて下記条件（１−１）、条件（５−１）、条件（６−１）を満足することを特徴とする小型高変倍ズームレンズを備えたカメラ。
（１−１）  ０．５５≦ＬＴ／ｆＴ≦０．７１
（５−１）  ０．５２≦｜Ｒ３ｆ｜／ｈ≦５．０
（６−１）  ０．３≦（Ｒ２ｒ×Ｒ３ｆ）／ｈ2≦２．５
【０２３４】
（２１）  特許請求の範囲の請求項３に記載するレンズ系で、条件（２）、条件（３）、条件（４）のいずれか一つの条件または複数の条件に代えて下記条件（２−１）、条件（３−１）、条件（４−１）を満足することを特徴とする小型高変倍ズームレンズを備えたカメラ。
（２−１）  ２．６≦ｆ１／｜ｆ３｜≦３．６
（３−１）  ０．４≦｜ｆ３｜／ｆ２≦０．６１
（４−１）  ０．７５≦ｆ２Ｒ／ｈ≦１．３
【０２３５】
（２２）  特許請求の範囲の請求項４に記載するレンズ系で、条件（２）、条件（３）、条件（５）のいずれか一つの条件または複数の条件に代えて下記条件（２−１）、条件（３−１）、条件（５−１）を満足することを特徴とする小型高変倍ズームレンズを備えたカメラ。
（２−１）  ２．６≦ｆ１／｜ｆ３｜≦３．６
（３−１）  ０．４≦｜ｆ３｜／ｆ２≦０．６１
（５−１）  ０．５２≦｜Ｒ３ｆ｜／ｈ≦５．０
【０２３６】
（２３）  特許請求の範囲の請求項１に記載するレンズ系で、条件（２）、条件（３）のいずれか一つの条件または両条件に代えて下記条件（２−１）、条件（３−１）を満足することを特徴とする小型高変倍ズームレンズを備えたカメラ。
（２−１）  ２．６≦ｆ１／｜ｆ３｜≦３．６
（３−１）  ０．４≦｜ｆ３｜／ｆ２≦０．６１
【０２３７】
（２４）  特許請求の範囲の請求項１、３または４に記載するレンズ系で、下記条件（１３）を満足することを特徴とするズームレンズ。
（１３）  １．０≦ｆ２Ｒ／ｄ２ＦＲ≦２０
【０２３８】
（２５）  特許請求の範囲の請求項２または５に記載するレンズ系で、第２群が物体側の前群とこの前群から空気間隔をおいて像側に配置した正の後群とにて構成され、下記条件（１３）を満足することを特徴とするズームレンズ。
（１３）  １．０≦ｆ２Ｒ／ｄ２ＦＲ≦２０
【０２３９】
（２６）  前記の（２４）または（２５）に記載するレンズ系で、条件（１３）の代わりに下記条件（１３−１）を満足することを特徴とするズームレンズ。
（１３−１）  １．５≦ｆ２Ｒ／ｄ２ＦＲ≦１０
【０２４０】
【発明の効果】
本発明によれば、変倍比が３．５以上の高い変倍比で全長が短く、レンズ枚数が９枚以下で極めて少ない枚数で、広角端から望遠端まで収差が良好に補正されており収差変動も少ない良好な光学性能のズームレンズを備えており、ズームレンズを収納した時の厚さの薄い小型なカメラを実現できる。
【図面の簡単な説明】
【図１】  本発明のカメラで用いるズームレンズの実施例１の断面図
【図２】  本発明のカメラで用いるズームレンズの実施例２の断面図
【図３】  本発明のカメラで用いるズームレンズの実施例３の断面図
【図４】  本発明のカメラで用いるズームレンズの実施例４の断面図
【図５】  本発明のカメラで用いるズームレンズの実施例５の断面図
【図６】  本発明のカメラで用いるズームレンズの実施例６の断面図
【図７】  本発明のカメラで用いるズームレンズの実施例７の断面図
【図８】  本発明のカメラで用いるズームレンズの実施例８の断面図
【図９】  本発明のカメラで用いるズームレンズの実施例９の断面図
【図１０】  本発明のカメラで用いるズームレンズの実施例１０の断面図
【図１１】  本発明のカメラで用いるズームレンズの実施例１１の断面図
【図１２】  本発明のカメラで用いるズームレンズの実施例１２の断面図
【図１３】  本発明のカメラで用いるズームレンズの実施例１３の断面図
【図１４】  本発明のカメラで用いるズームレンズの実施例１４の断面図
【図１５】  本発明のカメラで用いるズームレンズの実施例１５の断面図
【図１６】  本発明のカメラで用いるズームレンズの実施例１６の断面図
【図１７】  実施例１の収差曲線図
【図１】
0004537598.tif 000031
【図２】
0004537598.tif 000032
【図３】
0004537598.tif 000033
【図４】
0004537598.tif 000034
【図５】
0004537598.tif 000035
【図６】
0004537598.tif 000036
【図７】
0004537598.tif 000037
【図８】
0004537598.tif 000038
【図９】
0004537598.tif 000039
【図１０】
0004537598.tif 000040
【図１１】
0004537598.tif 000041
【図１２】
0004537598.tif 000042
【図１３】
0004537598.tif 000043
【図１４】
0004537598.tif 000044
【図１５】
0004537598.tif 000045
【図１６】
0004537598.tif 000046
【図１７】
0004537598.tif 000047